(57)【要約】【課題】本発明は、自動販売機１００の外扉１００ａに容易に着脱することができる自動販売機用フロントカバーとその取付方法を提供することを目的とする。【解決手段】片端のヒンジ１０７により開閉可能な外扉１００ａの正面に装着される自動販売機用フロントカバーであって、前記外扉１００ａの前記ヒンジ１０７近傍の上面と下面を挟み込むように取り付けられる連結金具１０４と、前記外扉１００ａの開閉側の側面上端に取り付けられる側面上端金具１４０と、外扉１００ａ開閉側の側面に取り付けられる１つ以上の側面金具１５０と、前記連結金具１０４、前記側面上端金具１４０、前記側面金具１５０に固定する左固定部１０１ａと右固定部１０１ｂを有するフロントカバー１０１とを備えた自動販売機用フロントカバーであることを特徴とする。【選択図】図１
2012014551.tif 000002
【特許請求の範囲】
【請求項１】
片端のヒンジにより開閉可能な自動販売機の外扉の正面に装着される自動販売機用フロントカバーであって、
前記外扉の前記ヒンジ近傍の上面と下面を挟み込むように取り付けられる連結具と、
前記外扉の開閉側の側面上端に取り付けられる側面上端取付具と、
外扉の開閉側の側面に取り付けられる１つ以上の側面取付具と、
前記連結具、前記側面上端取付具、前記側面取付具に固定する固定部を有するフロントカバー本体とを備えた
自動販売機用フロントカバー。
【請求項２】
前記連結具は、
前記外扉の上面における前記ヒンジ近傍に取り付けられる上部取付具と、
前記上部取付具に連結して前記上部取付具の下方位置の外扉下面に取り付けられる下部取付具とで構成され、
前記上部取付具と前記下部取付具を連結する前記上部取付具側の連結部と前記下部取付具側の連結部を略垂直方向に連結して互いに近づく方向へ引きつけて固定する固定手段を備えた
請求項１に記載の自動販売機用フロントカバー。
【請求項３】
前記上部取付具と前記下部取付具と前記側面取付具は、
外扉の背面に引っ掛けて取り付けるフック部を備えた
請求項１または請求項２に記載の自動販売機用フロントカバー。
【請求項４】
前記側面上端取付具は、
外扉の側面上端に引っ掛けて取り付けるフック部を備えた
請求項１に記載の自動販売機用フロントカバー。
【請求項５】
前記フロントカバー本体は、
前記フロントカバー本体の左右両側面に固定部を備えた
請求項１に記載の自動販売機用フロントカバー。
【請求項６】
片端のヒンジにより開閉可能な自動販売機の外扉の正面に装着される自動販売機用フロントカバーであって、
連結具を前記外扉の前記ヒンジ近傍の上面と下面を挟み込むように取り付け、
側面上端取付具を前記外扉の開閉側の側面上端に取り付け、
１つ以上の側面取付具を外扉の開閉側の側面に取り付けて、
フロントカバー本体の固定部を前記連結具、前記側面上端取付具、前記側面取付具に固定する
自動販売機用フロントカバー取付方法。
【発明の詳細な説明】
【技術分野】
【０００１】
この発明は、例えば飲料水などを販売する自動販売機の外扉を装飾するような自動販売機用フロントカバーに関する。
【背景技術】
【０００２】
昨今、ジュースなどの飲料やタバコなどをはじめ様々な商品を手軽に購入できる自動販売機は、その利便性の高さから様々な場所に数多く設置されている。
【０００３】
一方で自動販売機は、企業にとって外観に施した塗装や装飾で新商品などをアピールする広告としての役割もある。ところが、一旦、自動販売機が設置されると、外観に施した塗装などは、時間とともにデザイン的にも古くなり、さらに商品サイクルに合わせて変更することが容易ではなかった。
【０００４】
そこで商品などの入替わりに伴い自由に変更することができ、インパクトのある装飾などができる着脱可能なフロントカバーがいくつか提案されている（特許文献１参照および特許文献２参照）。
【０００５】
特許文献１では、自動販売機の外扉正面を覆う大きさで接着剤や両面粘着テープにて自動販売機の外扉に取り付けるフロントカバーが提案されている。また、特許文献２では、商品選択ボタンなどを備え、この電気情報等の授受と位置決めと固定とを兼ねた連結手段で自動販売機に取り付けるフロントカバーが提案されている。
【０００６】
しかし、特許文献１では、フロントカバーを固定できる強度を有した接着剤や両面粘着テープなどを自動販売機に複数箇所に貼り付ける必要があり、フロントカバー交換の際、自動販売機の外扉に残った接着剤などを清掃する手間や自動販売機の塗装が剥げるなどの問題点がある。
【０００７】
また、特許文献２では、フロントカバーに商品選択ボタンや電気情報等の授受する機能が備わっており、フロントカバーが重くかつ交換コストが高くつくという問題点がある。
【先行技術文献】
【特許文献】
【０００８】
【特許文献１】特開２００７−６５７９２号公報
【特許文献２】特許第３８８７８３１号公報
【発明の概要】
【発明が解決しようとする課題】
【０００９】
本発明は、上述の問題に鑑み、自動販売機の外扉に容易に着脱することができる自動販売機用フロントカバーとその取付方法を提供することを目的とする。
【課題を解決するための手段】
【００１０】
この発明は、片端のヒンジにより開閉可能な自動販売機の外扉の正面に装着される自動販売機用フロントカバーであって、前記外扉の前記ヒンジ近傍の上面と下面を挟み込むように取り付けられる連結具と、前記外扉の開閉側の側面上端に取り付けられる側面上端取付具と、外扉の開閉側の側面に取り付けられる１つ以上の側面取付具と、前記連結具、前記側面上端取付具、前記側面取付具に固定する固定部を有するフロントカバー本体とを備えた自動販売機用フロントカバーであることを特徴とする。
【００１１】
この発明により、フロントカバー本体は、自動販売機の外扉に加工することなく容易に着脱することができる。また、外扉の開閉を妨げずに外扉正面のほぼ全面の大きさのフロントカバー本体を取り付けることができる。
【００１２】
またこの発明の態様として、前記連結具は、前記外扉の上面における前記ヒンジ近傍に取り付けられる上部取付具と、前記上部取付具に連結して前記上部取付具の下方位置の外扉下面に取り付けられる下部取付具とで構成され、前記上部取付具と前記下部取付具を連結する前記上部取付具側の連結部と前記下部取付具側の連結部を略垂直方向に連結して互いに近づく方向へ引きつけて固定する固定手段を備えることができる。
【００１３】
固定手段は、前記連結部間を締上げることができるネジあるいはボルトなどとする。
【００１４】
これにより、連結部間を固定手段で固定すると、各連結部の剛性のより連結部が撓みながら前記連結部間が締上げられ、前記連結具は、自動販売機に緩みなく固定することができる。
【００１５】
またこの発明の態様として、前記上部取付具と前記下部取付具と前記側面取付具は、外扉の背面に引っ掛けて取り付けるフック部を備えることができる。
【００１６】
これにより、前記上部取付具と前記下部取付具と前記側面取付具は、容易に外れないように外扉にしっかり固定できる。このため、外扉の開閉時に外れることなく商品補充やメンテナンスを容易に行える。
【００１７】
またこの発明の態様として、前記側面上端取付具は、外扉の側面上端に引っ掛けて取り付けるフック部を備えることができる。
【００１８】
これにより、フロントカバー本体の外扉の開閉側は、上端の位置決めをすることができ、かつ自重により下方にズレたり落下することを防止することができる。
【００１９】
またこの発明の態様として、前記フロントカバー本体は、前記フロントカバー本体の左右両側面に固定部を備えることができる。
【００２０】
これにより、フロントカバー本体の固定は、横方向から行うことができ着脱作業が容易になる。また、フロントカバー本体は、固定箇所のないフロントカバー本体上部を活かしたインパクトのある装飾をすることができる。
【００２１】
この発明は、片端のヒンジにより開閉可能な自動販売機の外扉の正面に装着される自動販売機用フロントカバーであって、連結具を前記外扉の前記ヒンジ近傍の上面と下面を挟み込むように取り付け、側面上端取付具を前記外扉の開閉側の側面上端に取り付け、１つ以上の側面取付具を外扉の開閉側の側面に取り付けて、フロントカバー本体の固定部を前記連結具、前記側面上端取付具、前記側面取付具に固定する自動販売機用フロントカバー取付方法であることを特徴とする。
【００２２】
この発明により、作業者は、フロントカバー本体を自動販売機に一人でも容易に取り付けることができる。
【００２３】
さらに、フロントカバー本体を交換する場合、連結具や各取付具がそのまま継続して使用できることにより、フロントカバー本体の交換にかかるパーツコストが安価で済む。また、交換前後のフロントカバー本体の横幅が同一であれば連結具の位置調整などが不要であり、フロントカバー本体の交換にかかる時間を短縮することができる。
【発明の効果】
【００２４】
本発明により、自動販売機の外扉に容易に着脱することができる自動販売機用フロントカバーとその取付方法を提供することができる。
【図面の簡単な説明】
【００２５】
【図１】各金具の取付状態を示す斜視図。
【図２】外扉の開放状態を示す平面図。
【図３】上部金具および下部金具の上端の外観を示す斜視図。
【図４】下部金具の下端の外観を示す斜視図。
【図５】側面上端金具と側面金具の外観を示す斜視図。
【図６】上部金具と下部金具の取付状態を示す右断面図。
【図７】下部金具とフロントカバーの取付状態を示す平面断面図。
【図８】側面上端金具の側面上端フックの取付状態を示す正面断面図。
【図９】側面上端金具とフロントカバーの取付状態を示す平面断面図。
【図１０】側面金具とフロントカバーの取付状態を示す平面断面図。
【発明を実施するための形態】
【００２６】
この発明の一実施形態を以下図面と共に説明する。  
【実施例】
【００２７】
図１は、各金具１０４、１４０、１５０の取付状態を示す斜視図であり、図２は、外扉１００ａの開放状態を示す平面図である。
【００２８】
図１に示すように、フロントカバー１０１は、自動販売機１００における外扉１００ａの正面左端寄りに取り付けた連結金具１０４と、右側面上端に取り付けた側面上端金具１４０と、右側面に取り付けた側面金具１５０とを介して自動販売機１００に固定される。
【００２９】
自動販売機１００は、略箱形状で内部に飲料などの商品が収納されている本体１００ｂと、本体１００ｂの左端正面近傍に設けた略垂直軸のヒンジ１０７と、本体１００ｂの正面と同じ大きさで左端近傍をヒンジ１０７に接続した外扉１００ａとで構成される。
【００３０】
このヒンジ１０７は、本体１００ｂの正面左端より少し本体１００ｂの中央寄りに設けられている。
【００３１】
外扉１００ａは、外扉１００ａの上部から商品サンプルの陳列棚と陳列した商品に対応する商品選択ボタンとを備えた商品展示窓部１０８と、その下に紙幣や硬貨を投入する貨幣投入口１０９と、外扉１００ａの開閉を施錠する施錠部１１０と、その下に購入した商品を取り出す商品取出口１１１と、お釣りの硬貨を受取る硬貨返却口１１２とで構成される。
【００３２】
連結金具１０４は、外扉１００ａのヒンジ１０７近傍の上面と下面を挟み込むように取り付けた上部金具１２０と下部金具１３０とで構成される。
【００３３】
側面上端金具１４０は、外扉１００ａの右側面上端に取り付けられ、前端にフロントカバー１０１が固定される。
【００３４】
側面金具１５０は、外扉１００ａの右側面に略鉛直方向に等間隔に取り付けられ、前端にフロントカバー１０１が固定される。
【００３５】
フロントカバー１０１は、アクリルなどの樹脂部材により略長方形に形成され、外扉１００ａの商品展示窓部１０８と、貨幣投入口１０９と、施錠部１１０と、商品取出口１１１と、硬貨返却口１１２に対応する位置に開口を設けている。また、フロントカバー１０１の左側面には下部金具１３０に固定する左固定部１０１ａを設けて、右側面には側面上端金具１４０と側面金具１５０に固定する右固定部１０１ｂを設けている。なお、フロントカバー１０１の背面には、商品展示窓部１０８に対応する開口の下部と、商品取出口１１１に対応する開口の上部に両面粘着テープ１１３が貼り付けられている。
【００３６】
さらに、図２に示すように、フロントカバー１０１は、外扉１００ａの全開時に本体１００ｂの左側面と干渉しないよう外扉１００ａより横幅を小さくし、フロントカバー１０１の左側面が外扉１００ａのヒンジ１０７より外扉１００ａの中央寄りになる大きさに形成されている。なお、フロントカバー１０１の右側面は、外扉１００ａと右側面とほぼ同一面上で固定されている。
【００３７】
これにより、外扉１００ａの開閉を妨げることがなく、商品の補充やメンテナンスを行うことができる。また、自動販売機１００に隣接するほかの自動販売機や自動販売機１００の周囲を覆うように設置された化粧パネルなどにも干渉しないようにすることができる。
【００３８】
次に、図３〜図４を用いて連結金具１０４について説明する。図３は、上部金具１２０および下部金具１３０の上端の外観を示す斜視図であり、図４は、下部金具１３０の下端の外観を示す斜視図である。
【００３９】
図３に示すように、上部金具１２０は、板状の金属部材を屈曲加工して形成されており、主に外扉１００ａの上面に当接する上部フック１２１と、主に外扉１００ａの正面に当接する上部連結部１２２とが直角に連なる形状に形成されている。
【００４０】
上部フック１２１は、外扉１００ａの上面に略水平に載置されて外扉１００ａの上面の厚みと同程度の奥行きを有する上面載置部１２１ａと、上面載置部１２１ａの後方で略直角に下方へ屈曲した上部背面掛止部１２１ｂとが設けられている。
【００４１】
上部連結部１２２は、上面載置部１２１ａの前端から鉛直下方へ屈曲した上部正面当接部１２２ａと、上部正面当接部１２２ａの左右両端からそれぞれ前方へ略直角に屈曲した鉛直な２つの上部側壁部１２２ｂと、上部正面当接部１２２ａの下端から前方へ略直角に屈曲した上部水平板部１２２ｃと、上部水平板部１２２ｃの前端から鉛直下方へ屈曲した垂直部１２２ｅとが設けられている。なお、上部水平板部１２２ｃには、ネジ１１４を鉛直方向に挿通するネジ孔１２２ｄが設けられている。
【００４２】
垂直部１２２ｅの正面には、板状の金属部材を屈曲加工して形成された接続ガイド１２３が固定されている。この接続ガイド１２３は、垂直部１２２ｅより上下方向に長く垂直部１２２ｅの正面に溶着される正面ガイド部１２３ａと、正面ガイド部１２３ａの左右両端からそれぞれ後方へ略直角に屈曲した２つの側方ガイド部１２３ｂとで形成されている。
【００４３】
また、下部金具１３０は、板状の金属部材を屈曲加工して形成されており、主に接続ガイド１２３に当接する下部連結部１３１と、主に外扉１００ａの正面に当接する下部固定部１３２とが直角に連なる形状に形成され、さらに、図４に示すように、主に外扉１００ａの下面に当接する下部フック１３３が下部固定部１３２の下端と直角に連なる形状に形成されている。
【００４４】
下部連結部１３１は、垂直部１２２ｅと同幅で接続ガイド１２３の正面ガイド部１２３ａに当接して緩挿する起立部１３１ａと、起立部１３１ａの下端から後方へ略直角に屈曲した下部水平板部１３１ｂとが設けられている。なお、下部水平板部１３１ｂには、ネジ１１４を鉛直方向に係止するネジ孔１３１ｃが設けられている。
【００４５】
下部固定部１３２は、下部水平板部１３１ｂの後端から略鉛直下方方向に屈曲し外扉１００ａの下端まで延びた下部正面当接部１３２ａと、下部正面当接部１３２ａの左右両端から前方に略直角に屈曲した２つの下部側壁部１３２ｂとが設けられている。なお、下部側壁部１３２ｂの左側には、略水平方向からフロントカバー１０１を固定するネジ孔１３２ｃが略垂直方向に等間隔に４箇所設けられている。
【００４６】
また、図４に示すように、下部フック１３３は、下部正面当接部１３２ａの下端から後方へ略直角に屈曲し、外扉１００ａの下面の厚みと同程度の奥行きを有する下部平面部１３３ａと、下部平面部１３３ａの後端から上方へ略直角に屈曲した下部背面掛止部１３３ｂとが設けられている。
【００４７】
次に、図５を用いて側面上端金具１４０と、側面金具１５０について説明する。図５の（Ａ）は、側面上端金具１４０を示す斜視図であり、図５の（Ｂ）は、側面金具１５０の外観を示す斜視図である。
【００４８】
図５の（Ａ）に示すように、側面上端金具１４０は、板状の金属部材を屈曲加工して形成され、主に外扉１００ａの側面上端に当接する側面上端フック１４１と、主に外扉１００ａの側面に当接する側面当接部１４２とが直角に連なる形状に形成されている。さらに、主に外扉１００ａの背面に当接する背面掛止部１４３が側面当接部１４２の後端に直角に連なる形状に形成され、また、フロントカバー１０１を挟持して固定する挟持部１４４が側面当接部１４２の前端に形成されている。
【００４９】
背面掛止部１４３は、外扉１００ａの背面に略鉛直に当接し、外扉１００ａの背面の凸幅とほぼ同じ横幅を有している。
【００５０】
側面当接部１４２は、背面掛止部１４３の右端から略直角に前方へ屈曲し外扉１００ａの側面の厚みと同程度の奥行きを有する。
【００５１】
側面上端フック１４１は、側面当接部１４２の上端から略直角に左方向へ屈曲し外扉１００ａの上面に略水平に載置されて外扉１００ａの厚みより奥行きが小さく、かつ外扉１００ａの側面上端部にかかる程度の横幅を有する上端載置部１４１ａと、上端載置部１４１ａの左端から略鉛直下方へ屈曲した上端掛止部１４１ｂとが設けられている。
【００５２】
挟持部１４４は、側面当接部１４２の前端から前方に延びる金属部材を上下方向に３分割して３つの短冊状の部材に形成されている。さらに、挟持部１４４は、中央の部材が側面当接部１４２の前端からフロントカバー１０１の板厚とほぼ同じ横幅で右方向に略Ｌ字に突設した側面固定部１４４ａと、側面固定部１４４ａの上下部材が上下部材の奥行き中央付近で左方向に緩やかに略Ｌ字に突設した２つの保持部１４４ｂとで形成されている。なお、側面固定部１４４ａには、略水平方向からネジ１１６（図９参照）を挿入してフロントカバー１０１を固定するネジ孔１４４ｃが設けられている。
【００５３】
また、図５の（Ｂ）に示すように、側面金具１５０は、板状の金属部材を屈曲加工して形成され、主に外扉１００ａの背面に当接する側面フック１５１と、主に外扉１００ａの側面に当接する側面当接部１５２とが直角に連なる形状に形成され、さらにフロントカバー１０１を挟持して固定する挟持部１５３が側面当接部１５２の前端に連なる形状に形成されている。
【００５４】
側面フック１５１は、外扉１００ａの背面に略鉛直に当接し、外扉１００ａの背面の凸の幅とほぼ同じ横幅を有する背面当接部１５１ａと、背面当接部１５１ａの左端から略直角に前方へ屈曲した背面掛止部１５１ｂとが設けられている。
【００５５】
側面当接部１５２は、背面当接部１５１ａの右端から略直角に前方へ屈曲し外扉１００ａの厚みと同程度の奥行きを有する。
【００５６】
挟持部１５３は、側面当接部１５２の前端から前方に延びる金属部材を上下方向に３分割して３つの短冊状の部材に形成されている。さらに、挟持部１５３は、中央の部材が側面当接部１５２の前端からフロントカバー１０１の板厚とほぼ同じ横幅で右方向に略Ｌ字に突設した側面固定部１５３ａと、側面固定部１５３ａの上下部材が上下部材の奥行き中央付近で左方向に緩やかに略Ｌ字に突設した２つの保持部１５３ｂとで形成されている。なお、側面固定部１５３ａには、略水平方向からネジ１１６（図１０参照）を挿入してフロントカバー１０１を固定するネジ孔１５３ｃが設けられている。
【００５７】
このような構成のフロントカバー１０１の取付構造において、図６〜図１０を用いて、フロントカバー１０１の取付方法について説明する。
【００５８】
図６は、上部金具１２０と下部金具１３０の取付状態を示す右断面図であり、図７は、下部金具１３０とフロントカバー１０１の取付状態を示す平面断面図であり、図８は、側面上端金具１４０の側面上端フック１４１の取付状態を示す正面断面図であり、図９は、側面上端金具１４０とフロントカバー１０１の取付状態を示す平面断面図であり、図１０は、側面金具１５０とフロントカバー１０１の取付状態を示す平面断面図である。
【００５９】
図６に示すように、上部金具１２０は、外扉１００ａの上面に上部フック１２１を引っ掛けて取り付ける。このとき上部金具１２０は、外扉１００ａの開放側である右端を基準にフロントカバー１０１の横幅に合わせて取付位置を決定する。
【００６０】
さらに下部金具１３０は、起立部１３１ａを接続ガイド１２３に差し込みながら、上部金具１２０の下方位置の外扉１００ａの下面に下部フック１３３を引っ掛けて取り付ける。そして、上部連結部１２２と下部連結部１３１とをネジ１１４で仮締めする。
【００６１】
次に、連結金具１０４がフロントカバー１０１内に収まるようにフロントカバー１０１を被せ、下部側壁部１３２ｂの左側外面がフロントカバー１０１の左内側面に当接するように連結金具１０４の横方向の位置を微調整する。このとき、フロントカバー１０１の右側面が外扉１００ａの右側面とほぼ同一平面であることを確認する。その後、一旦フロントカバー１０１を外して、上部金具１２０と下部金具１３０とをネジ１１４で本締めする。
【００６２】
これにより、連結金具１０４は、横方向に自在に位置を調整することができ、かつ外扉１００ａに加工することなく外扉１００ａに固定することができる。さらに、離間している上部水平板部１２２ｃと下部水平板部１３１ｂとをネジ１１４で締上げることにより、上部金具１２０と下部金具１３０とが略垂直方向に連結して互いに近づく方向に引きつけて外扉１００ａを挟持することで、連結金具１０４は、ガタつくことなくしっかりと外扉１００ａに固定される。
【００６３】
次に、フロントカバー１０１の両面粘着テープ１１３（図１参照）を剥がして、外扉１００ａに被せる。さらに、図７に示すように、フロントカバー１０１の左固定部１０１ａと下部側壁部１３２ｂの左側壁とをネジ１１５で固定する。
【００６４】
次に、図８に示すように、外扉１００ａの背面から差し込むようにして外扉１００ａの側面上端に側面上端金具１４０の側面上端フック１４１を引っ掛ける。このとき、図９に示すように、側面上端金具１４０の側面固定部１４４ａと保持部１４４ｂとの間に、フロントカバー１０１の右側面上端を挟み込みながら、側面上端金具１４０の背面掛止部１４３が外扉１００ａの背面に当接するまで側面上端金具１４０を差し込む。その後、フロントカバー１０１の右固定部１０１ｂと側面固定部１４４ａとをネジ１１６で固定する。
【００６５】
これにより、フロントカバー１０１は、外扉１００ａの右上端の位置が決定し、自重で下方にズレ落ちることを防止できる。
【００６６】
次に、図１０に示すように、側面フック１５１が外扉１００ａの背面に引っ掛るように側面金具１５０を外扉１００ａの背面から差し込む。このとき、側面固定部１５３ａと保持部１５３ｂとの間にフロントカバー１０１の右側面を挟み込みながら、背面当接部１５１ａが外扉１００ａの背面に当接するまで側面金具１５０を差し込む。その後、フロントカバー１０１の右固定部１０１ｂと側面固定部１５３ａとをネジ１１６で固定して、フロントカバー１０１を外扉１００ａに固定する作業を完了する。
【００６７】
このようにして、フロントカバー１０１は、自動販売機１００の外扉１００ａに加工をほどこすことなく容易に取り付けることができる。また、作業者がフロントカバー１０１を自動販売機１００の外扉１００ａに一人でも容易に取り付けることができる取付方法を実現できる。
【００６８】
また、外扉１００ａの開閉を妨げずに外扉１００ａにおける正面のほぼ全面の大きさのフロントカバー１０１を取り付けることができる。さらに、フロントカバー１０１の固定を横方向から行うことにより、フロントカバー１０１は、着脱作業が容易になり、かつ固定箇所のないフロントカバー１０１の上部を活かしたインパクトのある装飾をすることもできる。
【００６９】
また、上部金具１２０の上部フック１２１と、下部金具１３０の下部フック１３３と、側面金具１５０の側面フック１５１により、上部金具１２０と下部金具１３０と側面金具１５０は、容易に外れないように外扉１００ａにしっかり固定できる。このため、外扉１００ａの開閉時に外れることなく商品補充やメンテナンスを容易に行える。
【００７０】
また、フロントカバー１０１を交換する際、各金具は、そのまま継続して使用することができる。さらに、フロントカバー１０１の横幅が同一であれば、連結金具１０４の位置調整が不要である。従って、フロントカバー１０１の交換にかかるパーツコストや工数を短縮することができる。
【００７１】
なお、本実施例では両面粘着テープ１１３を使用したが、フロントカバー１０１の固定は、下部金具１３０、側面上端金具１４０および側面金具１５０にネジ１１５、１１６にて固定しているので、両面粘着テープ１１３ではなく外扉１００ａの傷付き防止にクッション部材や緩衝ゴム部材、あるいはマグネットなどを使用してもよい。
【００７２】
また、外扉１００ａの傷付き防止の為、各金具の外扉１００ａとの当接面に、例えば、ウレタンゴムやスポンジゴム等のクッション部材を貼り付けてもよい。
【００７３】
また、フロントカバー１０１は、下部金具１３０、側面上端金具１４０および側面金具１５０にネジ１１５、１１６で固定するのではなく、例えば、自動車の内外装品の固定に使用されるようなアンカークリップで固定してもよい。
【００７４】
この発明の構成と、上述の実施形態との対応において、
この発明の自動販売機の外扉は、実施形態の外扉１００ａに対応し、
以下同様に、
フロントカバー本体は、フロントカバー１０１に対応し、
固定部は、左固定部１０１ａ、右固定部１０１ｂに対応し、
連結具は、連結金具１０４に対応し、
固定手段は、ネジ１１４に対応し、
上部取付具は、上部金具１２０に対応し、
下部取付具は、下部金具１３０に対応し、
上部取付具側連結部は、上部連結部１２２に対応し、
下部取付具側連結部は、下部連結部１３１に対応し、
側面上端取付具は、側面上端金具１４０に対応し、
側面取付具は、側面金具１５０に対応し、
外扉の背面に引っ掛けて取り付けるフック部は、上部フック１２１、下部フック１３３、側面フック１５１に対応し、
外扉の側面上端に引っ掛けて取り付けるフック部は、側面上端フック１４１に対応するが、
この発明は、上述の実施形態の構成のみに限定されるものではなく、多くの実施の形態を得ることができる。
【産業上の利用可能性】
【００７５】
この発明は、飲料水など商品を陳列して販売する自動販売機のフロントカバーに適用することができる。
【符号の説明】
【００７６】
１００…自動販売機
１００ａ…外扉
１０１…フロントカバー
１０１ａ…左固定部
１０１ｂ…右固定部
１０４…連結金具
１０７…ヒンジ
１１４…ネジ
１２０…上部金具
１２１…上部フック
１２２…上部連結部
１３０…下部金具
１３１…下部連結部
１３３…下部フック
１４０…側面上端金具
１４１…側面上端フック
１５０…側面金具
１５１…側面フック
【図１】
2012014551.tif 000003
【図２】
2012014551.tif 000004
【図３】
2012014551.tif 000005
【図４】
2012014551.tif 000006
【図５】
2012014551.tif 000007
【図６】
2012014551.tif 000008
【図７】
2012014551.tif 000009
【図８】
2012014551.tif 000010
【図９】
2012014551.tif 000011
【図１０】
2012014551.tif 000012